(57)【要約】      （修正有）【課題】信頼性を向上可能な磁気ディスク装置を提供する。【解決手段】磁気ディスク装置１は、底壁１２ａを有する箱状のベース１２と底壁に対向する第１面を有する内カバー１４とを有する筐体１０と、筐体内に回転自在に設けられた磁気ディスク１８と、磁気ディスクにデータをライトし、ディスクからデータをリードするヘッド１７と、筐体内でヘッドを磁気ディスクに移動自在に支持するアクチュエータアッセンブリ２２と、筐体内でフレキシブルプリント回路を介してアクチュエータと電気的に接続されているＦＰＣユニット２１と、絶縁性の接着部材により第１面に接着された導電性の容器部を含む吸湿部１００と、容器部に接触可能に設けられた導電体とを備える。【選択図】図１
2020144964.tif 000002
【特許請求の範囲】
【請求項１】
底壁を有する箱状のベースと前記底壁に対向する第１面を有するカバーとを有する筐体と、
前記筐体内に設けられた磁気ディスクと、
前記磁気ディスクにデータをライトし、前記磁気ディスクからデータをリードするヘッドと、
前記筐体内で前記ヘッドを支持するアクチュエータアッセンブリと、
前記第１面に設けられた導電性の容器と、
前記容器及びカバーに接触可能に設けられた導電体と、を備える磁気ディスク装置。
【請求項２】
前記導電体は、前記容器に一体に形成され、前記カバーに接触している、請求項１に記載の磁気ディスク装置。
【請求項３】
前記導電体は、板バネと、前記板バネから前記カバーに向かって突出し、前記カバーに接触する突起部とを有する、請求項２に記載の磁気ディスク装置。
【請求項４】
前記第１面と前記容器とを接着し、貫通孔を有する前記接着部材を有し、
前記導電体は、前記貫通孔内に位置している、請求項１に記載の磁気ディスク装置。
【請求項５】
前記カバーは、前記第１面に形成され、前記貫通孔に対向する第１凹部を有し、
前記容器は、前記第１面に対向する第２面に形成され、前記貫通孔に対向する第２凹部を有し、
前記導電体は、前記第１凹部及び前記第２凹部の間に位置している、請求項４に記載の磁気ディスク装置。
【請求項６】
前記導電体は、前記第１凹部又は前記第２凹部から離間している、請求項５に記載の磁気ディスク装置。
【請求項７】
前記導電体は、前記第１凹部及び前記第２凹部に接触している、請求項５に記載の磁気ディスク装置。
【請求項８】
前記第１凹部は、傾斜する第１内壁を有し、前記第２凹部は、前記第１内壁と同じ方向に傾斜する第２内壁を有し、
前記導電体は、前記第１内壁及び前記第２内壁に移動可能に接触している、請求項７に記載の磁気ディスク装置。
【請求項９】
前記導電体は、球状に形成されている、請求項４乃至８のいずれか１項に記載の磁気ディスク装置。
【請求項１０】
前記容器は、導電性の樹脂で形成されている、請求項１乃至９のいずれか１項に記載の磁気ディスク装置。
【請求項１１】
前記接着部材は、両面テープである、請求項４乃至９のいずれか１項に記載の磁気ディスク装置。
【請求項１２】
更に前記筐体内で前記アクチュエータアッセンブリと電気的に接続されているユニットを有し、
前記容器は、前記アクチュエータアッセンブリと前記ユニットとの間に位置している、請求項１乃至１１のいずれか１項に記載の磁気ディスク装置。
【請求項１３】
前記容器は、内部に吸湿材を収納している、請求項１乃至１２のいずれか１項に記載の磁気ディスク装置。
【請求項１４】
底壁を有する箱状のベースと前記底壁に対向する第１面を有するカバーとを有する筐体と、
前記筐体内に回転自在に設けられた磁気ディスクと、
前記磁気ディスクにデータをライトし、前記磁気ディスクからデータをリードするヘッドと、
前記筐体内で前記ヘッドを前記磁気ディスクに移動自在に支持するアクチュエータアッセンブリと、
前記筐体内でフレキシブルプリント回路を介して前記アクチュエータアッセンブリと電気的に接続されているユニットと、
絶縁性の接着部材により前記第１面に接着された導電性の容器と、
前記容器に一体に形成され、前記カバーに接触している導電体と、を備える磁気ディスク装置。
【請求項１５】
底壁を有する箱状のベースと前記底壁に対向する第１面を有するカバーとを有する筐体と、
前記筐体内に回転自在に設けられた磁気ディスクと、
前記磁気ディスクにデータをライトし、前記磁気ディスクからデータをリードするヘッドと、
前記筐体内で前記ヘッドを前記磁気ディスクに移動自在に支持するアクチュエータアッセンブリと、
前記筐体内でフレキシブルプリント回路を介して前記アクチュエータアッセンブリと電気的に接続されているユニットと、
絶縁性の接着部材により前記第１面に接着された導電性の容器と、
前記第１面及び前記カバーの間に位置している導電体と、を備える磁気ディスク装置。
【発明の詳細な説明】
【技術分野】
【０００１】
本発明の実施形態は、磁気ディスク装置に関する。
【背景技術】
【０００２】
磁気ディスク装置は、筐体内に吸湿材を収納する導電性の容器を有する。この容器がヘッドの近傍に設置された場合、容器に帯電した静電気がヘッドに放電され、ヘッドを損傷する可能性がある。また、磁気ディスク装置の組立工程において、容器を筐体内に設置する際に筐体内の構成部材等に接触した場合にコンタミが発生する可能性がある。
【先行技術文献】
【特許文献】
【０００３】
【特許文献１】米国特許出願公開第２００７／０２６８６２０号明細書
【特許文献２】実開平３−１２４３９３号公報
【特許文献３】実開昭６０−７７０９６号公報
【発明の概要】
【発明が解決しようとする課題】
【０００４】
本発明の実施形態が解決しようとする課題は、信頼性を向上可能な磁気ディスク装置を提供することである。
【課題を解決するための手段】
【０００５】
本実施形態に係る磁気ディスク装置は、底壁を有する箱状のベースと前記底壁に対向する第１面を有するカバーとを有する筐体と、前記筐体内に回転自在に設けられた磁気ディスクと、前記磁気ディスクにデータをライトし、前記磁気ディスクからデータをリードするヘッドと、前記筐体内で前記ヘッドを前記磁気ディスクに移動自在に支持するアクチュエータアッセンブリと、前記筐体内でフレキシブルプリント回路を介して前記アクチュエータアッセンブリと電気的に接続されているユニットと、絶縁性の接着部材により前記第１面に接着された導電性の容器と、前記容器に接触可能に設けられた導電体と、を備える。
【０００６】
本実施形態に係る磁気ディスク装置は、底壁を有する箱状のベースと前記底壁に対向する第１面を有するカバーとを有する筐体と、前記筐体内に回転自在に設けられた磁気ディスクと、前記磁気ディスクにデータをライトし、前記磁気ディスクからデータをリードするヘッドと、前記筐体内で前記ヘッドを前記磁気ディスクに移動自在に支持するアクチュエータアッセンブリと、前記筐体内でフレキシブルプリント回路を介して前記アクチュエータアッセンブリと電気的に接続されているユニットと、絶縁性の接着部材により前記第１面に接着された導電性の容器と、前記容器に一体に形成され、前記カバーに接触している導電体と、を備える。
【０００７】
本実施形態に係る磁気ディスク装置は、底壁を有する箱状のベースと前記底壁に対向する第１面を有するカバーとを有する筐体と、前記筐体内に回転自在に設けられた磁気ディスクと、前記磁気ディスクにデータをライトし、前記磁気ディスクからデータをリードするヘッドと、前記筐体内で前記ヘッドを前記磁気ディスクに移動自在に支持するアクチュエータアッセンブリと、前記筐体内でフレキシブルプリント回路を介して前記アクチュエータアッセンブリと電気的に接続されているユニットと、絶縁性の接着部材により前記第１面に接着された導電性の容器と、前記第１面及び前記カバーの間に位置している導電体と、を備える磁気ディスク装置。
【図面の簡単な説明】
【０００８】
【図１】図１は、第１実施形態に係る磁気ディスク装置の内部構造の一例を示す分解斜視図である。
【図２】図２は、吸湿部を取り付けた対向面側から観た内カバーの一例を示す斜視図である。
【図３】図３は、第１実施形態に係る吸湿部の構成の一例を示す拡大斜視図である。
【図４】図４は、第１実施形態に係る吸湿部の構成の一例を示す拡大斜視図である。
【図５】図５は、カバー側から観た接着部材及び吸湿部の一例を示す斜視図である。
【図６】図６は、変形例１に係る吸湿部の構成の一例を示す拡大斜視図である。
【図７】図７は、第２実施形態に係る吸湿部の構成の一例を示す拡大斜視図である。
【図８】図８は、第２実施形態に係る吸湿部の構成の一例を示す拡大斜視図である。
【図９】図９は、第２実施形態に係る接着部材及び吸湿部の一例を示す斜視図である。
【図１０】図１０は、図８に示したＡ−Ａに沿って切断した吸湿部、接着部材、及び内カバーの構成例を模式的に示す断面図である。
【図１１】図１１は、変形例２に係る吸湿部、接着部材、及び内カバーの構成例を模式的に示す断面図である。
【図１２】図１２は、変形例２に係る吸湿部、接着部材、及び内カバーの構成例を模式的に示す断面図である。
【発明を実施するための形態】
【０００９】
以下、実施の形態について図面を参照して説明する。なお、図面は、一例であって、発明の範囲を限定するものではない。  
（第１実施形態）  
図１は、第１実施形態に係る磁気ディスク装置１の内部構造の一例を示す分解斜視図である。第１方向Ｘ、第２方向Ｙ、及び第３方向Ｚは、互いに直交している。なお、第１方向Ｘ、第２方向Ｙ、及び第３方向Ｚは、９０度以外の角度で交差していてもよい。第１方向及び第２方向は、例えば、磁気ディスク装置１の主面及び主面に対向する対向面に平行な方向に相当する。第３方向Ｚは、例えば、磁気ディスク装置１の厚さ方向に相当する。以下、第１方向Ｘの長さを幅と称する場合もある。
【００１０】
磁気ディスク装置１は、ほぼ矩形状の筐体１０を備えている。筐体１０は、開口した矩形箱状のベース（base casting）１２と、複数のねじ１３によりベース１２にねじ止めされベース１２の開口を閉塞する内カバー１４と、内カバー１４に重ねて配置され、周縁部がベース１２に溶接された外カバー（トップカバー）１６とを有している。以下、第３方向Ｚの矢印の先端が向かう方向、つまり、ベース１２から内カバー１４又は外カバー１６に向かう方向をカバー側と称する場合もあるし、第３方向の矢印の先端が向かう方向と反対方向、つまり、内カバー１４又は外カバー１６から底壁１２ａに向かう方向をベース側と称する場合もある。
【００１１】
筐体１０は、互いに対向する一対の短辺壁ＳＦ及びＳＢと、互いに対向する一対の長辺壁ＬＬ及びＬＲとを有している。筐体１０において、短辺壁ＳＦ及びＳＢは、第１方向Ｘに沿って延出し、長辺壁ＬＲ及びＬＬは、第２方向Ｙに沿って延出している。長辺壁ＬＲは、長辺壁ＬＬに対して第１方向Ｘの矢印の先端が向かう方向に間隔を空けて配置されている。短辺壁ＳＢは、短辺壁ＳＦに対して第２方向Ｙの矢印の先端が向かう方向に間隔を空けて配置されている。図１には、筐体１０の短辺壁の幅の中心を通る中心軸ＸＣＬを示している。中心軸ＸＣＬは、例えば、ベース１２の幅の中心、内カバー１４の幅の中心、及び外カバー１６の幅の中心に相当する。なお、中心軸ＸＣＬは、ベース１２の幅の中心からずれていてもよいし、内カバー１４の幅の中心からずれていてもよいし、外カバー１６の幅の中心からずれていてもよい。
【００１２】
ベース１２は、矩形状の底壁１２ａと、側壁１２ｂとを有している。ベース１２は、例えば、アルミニウムにより底壁１２ａ及び側壁１２ｂ等が一体に成形されている。底壁１２ａは、内カバー１４と隙間を置いて対向している。底壁１２ａは、例えば、第１方向Ｘ及び第２方向Ｙの平面上に広がっている。側壁１２ｂは、底壁１２ａの周縁に沿って立設されている。側壁１２ｂは、例えば、底壁１２ａの周縁から第３方向Ｚに向かって突出して形成されている。側壁１２ｂは、互いに対向する一対の長辺壁１２ＬＲ及び１２ＬＬと、互いに対向する一対の短辺壁１２ＳＦ及び１２ＳＢとを含んでいる。例えば、短辺壁１２ＳＦ及び１２ＳＢは、第１方向Ｘに延出し、長辺壁１２ＬＲ及び１２ＬＬは、第２方向Ｙに延出している。長辺壁１２ＬＲは、長辺壁１２ＬＬに対して第１方向Ｘの矢印の先端が向かう方向に間隔を空けて配置されている。短辺壁１２ＳＢは、短辺壁１２ＳＦに対して第２方向Ｙの矢印の先端が向かう方向に間隔を空けて配置されている。側壁１２ｂのカバー側の端面に、ほぼ矩形枠状の固定リブ１２ｃが突設されている。
【００１３】
内カバー１４は、例えば、ステンレスにより矩形板状に形成されている。内カバー１４は、互いに対向する一対の長辺（又は、端部）１４ＬＲ及び１４ＬＬと、互いに対向する一対の短辺（端部、端部）１４ＳＦ及び１４ＳＢとを含んでいる。例えば、短辺１４ＳＦ及び１４ＳＢは、第１方向Ｘに延出し、長辺１４ＬＲ及び１４ＬＬは、第２方向Ｙに延出している。長辺１４ＬＲは、長辺１４ＬＬに対して第１方向Ｘの矢印の先端が向かう方向に間隔を空けて配置されている。短辺１４ＳＢは、短辺１４ＳＦに対して第２方向Ｙの矢印の先端が向かう方向に間隔を空けて配置されている。内カバー１４は、その周縁部がねじ１３によりベース１２の側壁１２ｂのカバー側の端面にねじ止めされ、固定リブ１２ｃの内側に固定されている。内カバー１４は、主面１４ａと、主面１４ａと反対側の対向面１４ｂと、主面１４ａから対向面１４ｂまで貫通する孔１４Ｈと、を有している。対向面１４ｂは、底壁１２ａに対向している。
【００１４】
外カバー１６は、例えば、アルミニウムにより矩形板状に形成されている。外カバー１６は、内カバー１４よりも僅かに大きな平面寸法に形成されている。外カバー１６は、互いに対向する一対の長辺（又は、端部）１６ＬＲ及び１６ＬＬと、互いに対向する一対の短辺（端部、端部）１６ＳＦ及び１６ＳＢとを含んでいる。例えば、短辺１６ＳＦ及び１６ＳＢは、第１方向Ｘに延出し、長辺１６ＬＲ及び１６ＬＬは、第２方向Ｙに延出している。長辺１６ＬＲは、長辺１６ＬＬに対して第１方向Ｘの矢印の先端が向かう方向に間隔を空けて配置されている。短辺１６ＳＢは、短辺１６ＳＦに対して第２方向Ｙの矢印の先端が向かう方向に間隔を空けて配置されている。外カバー１６は、内カバー１４の主面１４ａに対向している。外カバー１６は、その周縁部が全周に亘って、ベース１２の固定リブ１２ｃに溶接され、ベース１２に気密に固定されている。筐体１０内には、空気よりも密度の低い低密度ガス（不活性ガス）、例えば、ヘリウムが封入されている。長辺壁ＬＲは、長辺壁１２ＬＲ、長辺１４ＬＲ、及び長辺１６ＬＲで構成され、長辺壁ＬＬは、長辺壁１２ＬＬ、長辺１４ＬＬ、及び長辺１６ＬＬで構成されている。短辺壁ＳＦは、短辺壁１２ＳＦ、短辺１４ＳＦ、及び短辺１６ＳＦで構成され、短辺壁１２ＳＢは、短辺壁１２ＳＢ、短辺１４ＳＢ、及び短辺１６ＳＦで構成されている。
【００１５】
筐体１０内には、記録媒体としての複数、例えば、５〜９枚の磁気ディスク（以下、単にディスクと称する）１８、およびディスク１８を支持および回転させる駆動部としてのスピンドルモータ２０が設けられている。スピンドルモータ２０は、底壁１２ａ上（底壁１２ａの内面ＩＷａ）に配設されている。各ディスク１８は、そのカバー側の主面および／またはこの主面と反対側の対向面に磁気記録層を有している。各ディスク１８は、スピンドルモータ２０の図示しないハブに互いに同軸的に嵌合されているとともにクランプばねによりクランプされ、ハブに固定されている。これにより、各ディスク１８は、ベース１２の底壁１２ａと平行に位置した状態に支持されている。ディスク１８は、スピンドルモータ２０により所定の回転数で回転される。  
なお、本実施形態において、５〜９枚のディスク１８が筐体１０内に収容されるが、ディスク１８の枚数は多くても少なくてもこれに限られない。また、単一のディスク１８が筐体１０内に収容されていてもよい。
【００１６】
筐体１０内には、ディスク１８に対してデータをライトし、前記ディスクからデータをリードする複数の磁気ヘッド（以下、単にヘッドと称する）１７、これらのヘッド１７をディスク１８に対して移動自在に支持したアクチュエータアッセンブリ（アクチュエータ）２２が設けられている。アクチュエータアッセンブリ２２は、軸受ユニット２８により回動自在に支持されている。軸受ユニット２８は、ディスク１８の外周縁近傍でベース１２の底壁１２ａに立設される枢軸、枢軸に取り付けられた複数の軸受、及び軸受間に配置されたスペーサ等を有している。
【００１７】
さらに、筐体１０内には、アクチュエータアッセンブリ２２の回動および位置決め等の動作を制御するボイスコイルモータ（以下ＶＣＭと称する）２４、ヘッド１７がディスク１８の最外周に移動した際、ヘッド１７をディスク１８から離間したアンロード位置に保持するランプロード機構２５、および基板ユニット（ＦＰＣユニット）２１が設けられている。ＦＰＣユニット２１は、アクチュエータアッセンブリ２２に電気的に接続されている。ＦＰＣユニット２１は、フレキシブルプリント回路（ＦＰＣ）基板を含む。これらＦＰＣ基板は、それぞれ、アクチュエータアッセンブリ２２上の中継ＦＰＣ６２を介してヘッド１７およびＶＣＭ２４のボイスコイル３４に電気的に接続されている。ボイスコイル３４は、一対のヨーク３８の間に位置し、これらのヨーク３８、及びいずれかのヨーク３８に固定された磁石とともにＶＣＭ２４を構成している。ＦＰＣユニット２１は、例えば、コネクタ等を介してプリント回路基板（制御回路基板）２００に電気的に接続されている。制御回路基板２００は、筐体１０の外側、例えば、底壁１２ａの主面と反対側の対向面側に取り付けられている。
【００１８】
アクチュエータアッセンブリ２２は、アクチュエータブロック２９と、アクチュエータブロック２９に設けられた軸受ユニット２８と、アクチュエータブロック２９から延出した複数のアーム３２と、各アーム３２から延出したサスペンションアッセンブリ（サスペンション）３０と、を有している。各サスペンションアッセンブリ３０の先端部にヘッド１７が支持されている。アクチュエータアッセンブリ２２は、ＶＣＭ２４の駆動により、ディスク１８の所定の位置までヘッド１７を移動させる。
【００１９】
また、筐体１０内には、吸湿機能を有する吸湿部１００が設けられている。吸湿部１００は、筐体１０内において、内カバー１４の対向面１４ｂに取り付けられている。吸湿部１００は、ベース側から内カバー１４の孔１４Ｈに対向している。また、吸湿部１００は、カバー側から底壁１２ａに対向し、底壁１２ａから離間している。なお、吸湿部１００は、底壁１２ａに接触していてもよい。吸湿部１００は、第１方向Ｘにおいて長辺壁ＬＲ側、且つ第２方向Ｙにおいて短辺壁ＳＦ側に位置している。吸湿部１００は、例えば、第１方向Ｘにおいて中心軸ＸＣＬよりも長辺壁ＬＲ側、且つ第２方向ＹにおいてＦＰＣユニット２１及びアクチュエータアッセンブリ２２の間に位置している。言い換えると、吸湿部１００は、ＦＰＣユニット２１とランプロード機構２５に保持された状態のアクチュエータアッセンブリ２２との間に位置している。吸湿部１００は、例えば、孔１４Ｈを介して流出入する気体の水分や、筐体１０内の水分を吸収又は吸着する。
【００２０】
図２は、吸湿部１００を取り付けた対向面１４ｂ側から観た内カバー１４の一例を示す斜視図である。図２には、説明に必要な構成のみを示している。  
内カバー１４の対向面１４ｂには、取り付け部１４１が周囲よりもベース側に盛り上がるように形成されている。取り付け部１４１は、孔１４Ｈが形成されている。図２に示した例では、取り付け部１４１は、第１方向Ｘにおいて長辺１４ＬＲ側、且つ第２方向Ｙにおいて短辺１４ＳＦ側に位置している。取り付け部１４１は、例えば、図１に示した吸湿部１００が取り付けられた内カバーの領域に相当する。なお、取り付け部１４１はなくともよい。
【００２１】
吸湿部１００は、容器部ＢＤと、容器部ＢＤに接続されている延出部１０１とを有している。容器部ＢＤは、導電性の材料、例えば、導電性の樹脂で形成されている。容器部ＢＤは、内カバー１４の対向面１４ｂに取り付けられている。図２に示した例では、容器部ＢＤは、内カバー１４の対向面１４ｂの取り付け部１４１に取り付けられている。容器部ＢＤは、台座部１００Ｂと、収納部１００Ｃと、蓋１００Ｌとを有している。蓋１００Ｌは、導電性の材料で形成され、例えば、炭素を含んでいる。台座部１００Ｂは、導電性の材料、例えば、導電性の樹脂で形成されている。台座部１００Ｂは、例えば、筐体１０内において、ＦＰＣユニット２１に対向するように設けられている。収納部１００Ｃは、導電性の材料、例えば、導電性の樹脂で形成されている。台座部１００Ｂ及び収納部１００Ｃは、例えば、同じ材料で形成されている。なお、台座部１００Ｂ及び収納部１００Ｃは、例えば、異なる材料で形成されていてもよい。収納部１００Ｃは、台座部１００Ｂと一体に形成され、台座部１００Ｂよりもベース側に突出している。収納部１００Ｃは、例えば、筐体１０内において、ＦＰＣユニット２１及びアクチュエータアッセンブリ２２の間に位置するように設けられ、底壁１２ａ（の内面ＩＷａ）に対向している。収納部１００Ｃは、底壁１２ａ（の内面ＩＷａ）から離間している。なお、収納部１００Ｃは、底壁１２ａ（の内面ＩＷａ）に接触していてもよい。蓋１００Ｌは、収納部１００Ｃのベース側に取り付けられている。収納部１００Ｃ及び蓋１００Ｌの間には、気体等が流出入する開口ＯＰが形成されている。詳細については後述するが、例えば、図１に示した孔１４Ｈを介して流入した気体が収納部１００Ｃを介して開口ＯＰから筐体１０の内部に流入する。また、例えば、筐体１０の内部の気体が開口ＯＰを介して収納部１００Ｃ内に流入する。
【００２２】
延出部１０１は、導電性の材料、例えば、導電性の樹脂で形成されている。なお、延出部１０１は、容器部ＢＤと同じ材料で形成されていてもよいし、容器部ＢＤと異なる材料で形成されていてもよい。延出部１０１は、容器部ＢＤと一体に形成され、容器部ＢＤから一方向に延出している。延出部１０１は、内カバー１４の周縁部（長辺１４ＬＬ、１４ＬＲ及び短辺１４ＳＦ、１４ＳＢ）の内側に位置している。図２に示した例では、延出部１０１は、台座部１００Ｂに接続され、台座部１００Ｂから第１方向Ｘの中心軸ＸＣＬ側に延出している。なお、吸湿部１００は、複数の延出部１０１を有していてもよい。延出部１０１は、収納部１００Ｃに接続され、収納部１００Ｃから一方向に延出していてもよい。延出部１０１は、第１方向Ｘの中心軸ＸＣＬ側以外の方向に延出していてもよい。また、吸湿部１００は、延出部１０１を含んでいなくともよい。言い換えると、容器部ＢＤと延出部１０１とは、別体で形成されていてもよい。延出部１０１は、例えば、容器部ＢＤに接触又は接続され、一方向に延出している。
【００２３】
図３は、第１実施形態に係る吸湿部１００の構成の一例を示す拡大斜視図である。  
容器部ＢＤのカバー側の主面ＢＤａは、接着部材ＡＤにより内カバー１４の対向面１４ｂに接着されている。容器部ＢＤの主面ＢＤａは、吸湿部１００のカバー側の主面に相当する。容器部ＢＤの主面ＢＤａは、台座部１００Ｂのカバー側の主面１００Ｂａと、収納部１００Ｃのカバー側の主面１００Ｃａとを含む。接着部材ＡＤは、絶縁性の材料で形成されている。例えば、接着部材ＡＤは、絶縁性の両面テープである。なお、接着部材ＡＤは、絶縁性の接着剤であってもよい。また、接着部材ＡＤは、導電性を有していてもよい。
【００２４】
延出部１０１は、内カバー１４の対向面１４ｂに接触している。延出部１０１は、板部１０１Ｂと、板部１０１Ｂから突出して内カバー１４に接触している突起部１０１Ｃとを有している。図３に示した例では、板部１０１Ｂは、台座部１００Ｂに接続され、第１方向Ｘの矢印の先端が向かう方向と反対方向に延出している。板部１０１Ｂは、中空部を有する中空板部１０１Ｈと、中空板部１０１Ｈの中空部内に形成された板バネ部１０１Ｌとを有している。中空板部１０１Ｈは、台座部１００Ｂに接続され、第１方向Ｘの矢印の先端が向かう方向と反対方向に延出している。中空板部１０１Ｈの中空部は、第１方向Ｘの矢印の先端が向かう方向と反対方向に長細く形成されている。板バネ部１０１Ｌは、中空板部１０１Ｈの内壁に接続され、中空板部１０１Ｈと同じ方向に延出している。板バネ部１０１Ｌは、第１方向Ｘの矢印の先端が向かう方向と反対方向に長細く形成されている。突起部１０１Ｃは、板部１０１Ｂの第１方向Ｘの矢印の先端が向かう方向と反対方向の先端から第３方向Ｚのカバー側に突出し、内カバー１４に接触している。図３に示した例では、突起部１０１Ｃは、板バネ部１０１Ｌの第１方向Ｘの矢印の先端が向かう方向と反対方向の先端から第３方向Ｚのカバー側に突出し、内カバー１４の対向面１４ｂに接触している。
【００２５】
図４は、第１実施形態に係る吸湿部１００の構成の一例を示す拡大斜視図である。  
接着部材ＡＤは、貫通孔ＡＤＨを有している。貫通孔ＡＤＨは、孔１４Ｈに対向している。言い換えると、孔１４Ｈと貫通孔ＡＤＨとは、連通している。容器部ＢＤは、貫通孔ＡＤＨを介して孔１４Ｈに対向している凹部ＢＤＤ１と、凹部ＢＤＤ１に連通している通路ＢＤＰとを有している。言い換えると、凹部ＢＤＤ１は、貫通孔ＡＤＨ及び孔１４Ｈに第３方向Ｚで対向している。凹部ＢＤＤ１及び通路ＢＤＰは、容器部ＢＤの主面ＢＤａ側に形成されている。図４に示した例では、凹部ＢＤＤ１は、台座部１００Ｂの主面１００Ｂａをベース側に窪ませて形成されている。また、例えば、通路ＢＤＰは、容器部ＢＤの主面ＢＤａをベース側に窪ませて形成されている。
【００２６】
収納部１００Ｃは、内カバー１４に取り付けられた底部ＢＴと、底部ＢＴからベース側に延出している側壁ＣＳＷと、吸湿材ＨＷとを有している。収納部１００Ｃは、ベース側に開口している。収納部１００Ｃの内側には、収納部１００Ｃの開口を閉塞している蓋部１００Ｌと、側壁ＣＳＷの内側の内壁ＣＩＷと、底部ＢＴとで包囲された空間ＳＰが形成されている。空間ＳＰには、吸湿材ＨＷ、例えば、活性炭及びシリカゲル等が充填されている。底部ＢＴには、収納部１００Ｃの主面１００Ｃａまで貫通する少なくとも１つの貫通孔ＢＤＨが形成されている。貫通孔ＢＤＨは、通路ＢＤＰに連通している。図４に示した例では、収納部１００Ｃの底部ＢＴには、貫通孔ＢＤＨが形成されている。貫通孔ＢＤＨは、通路ＢＤＰに連通している。孔１４Ｈから流入した気体は、貫通孔ＡＤＨ、凹部ＢＤＤ１、通路ＢＤＰ、及び貫通孔ＢＤＨを通って収納部１００Ｃの空間ＳＰに流入する。収納部１００Ｃの空間ＳＰに流入した気体は、空間ＳＰに収納された吸湿材で水分等を吸収又は吸着されて、開口ＯＰから筐体１０の内部に流入する。また、開口ＯＰから収納部１００Ｃの空間ＳＰに流入した気体は、空間ＳＰに収納された吸湿材で水分等を吸収又は吸着されて、開口ＯＰから筐体１０の内部に流出する。
【００２７】
図５は、カバー側から観た接着部材ＡＤ及び吸湿部１００の一例を示す斜視図である。  
接着部材ＡＤの貫通孔ＡＤＨは、凹部ＢＤＤ１に重なっている。図５に示した例では、凹部ＢＤＤ１の径よりも貫通孔ＡＤＨの径の方が大きい。なお、凹部ＢＤＤ１の径よりも貫通孔ＡＤＨの径の方が小さくてもよいし、同じであってもよい。凹部ＢＤＤ１と通路ＢＤＰとは、連通している。また、接着部材ＡＤは、通路ＢＤＰの少なくとも一部を覆っている。
【００２８】
本実施形態によれば、磁気ディスク装置１は、筐体１０内に、内カバー１４の対向面１４ｂに取り付けられた吸湿部１００を有している。吸湿部１００は、例えば、ＦＰＣユニット２１とランプロード機構２５に保持された状態のアクチュエータアッセンブリ２２との間に位置している。吸湿部１００は、容器部ＢＤと、容器部ＢＤから延出している延出部１０１とを有している。容器部ＢＤ及び延出部１０１は、導電性の材料で形成されている。容器部ＢＤは、絶縁性の接着部材ＡＤにより内カバー１４の対向面１４ｂに接着されている。容器部ＢＤは、台座部１００Ｂと、収納部１００Ｃと、蓋１００Ｌとを有している。収納部１００Ｃは、台座部１００Ｂと一体に形成され、台座部１００Ｂよりもベース側に突出している。蓋部１００Ｌは、収納部１００Ｃのベース側に取り付けられ、収納部１００Ｃの開口を閉塞している。延出部１０１は、台座部１００Ｂから延出している。延出部１０１は、板部１０１Ｂと、板部１０１Ｂの先端からベース側に突出している突起部１０１Ｃとを有している。突起部１０１Ｃは、内カバー１４に接触している。このように突起部１０１Ｃが内カバー１４に接触しているため、磁気ディスク装置１は、内カバー１４及びベース１２等を介して吸湿部１００に帯電した静電気（電荷）をグランドに逃がすことができる。そのため、磁気ディスク装置１は、吸湿部１００に帯電した静電気がヘッド１７に放電することを防止できる。したがって、磁気ディスク装置１は、信頼性を向上することができる。
【００２９】
また、吸湿部１００は、接着部材ＡＤで内カバー１４に接着するのみであるため、容易に設置することが可能であり、形状や大きさの制限が緩和され得る。そのため、磁気ディスク装置１は、製造するための費用を抑制することができる。  
さらに、板部１０１Ｂは、中空部を有する中空板部１０１Ｈと、中空板部１０１Ｈの中空部内に形成された板バネ部１０１Ｌとを有している。突起部１０１Ｃは、板バネ部１０１Ｌの先端からカバー側に突出し、内カバー１４に接触している。このように板バネ部１０１Ｌの先端に突起部１０１Ｃを設けることによって、突起部１０１Ｃが内カバー１４に接触することでベース側に生じる反発力を抑制することができる。そのため、磁気ディスク装置１は、接着部材ＡＤの剥離を生じさせ得る力を抑制することができる。したがって、磁気ディスク装置１は、信頼性を向上することができる。
【００３０】
次に、変形例及び他の実施形態に係る磁気ディスク装置について説明する。変形例及び他の実施形態において、前述の実施形態と同一の部分には同一の参照符号を付してその詳細な説明を省略する。  
（変形例１）  
変形例１の磁気ディスク装置１は、延出部１０１の構成が第１実施形態の磁気ディスク１と異なる。  
図６は、変形例１に係る吸湿部１００の構成の一例を示す拡大斜視図である。  
延出部１０１は、板部１０１Ｂと、突起部１０１Ｃとを有している。図６に示した例では、突起部１０１Ｃは、板部１０１Ｂの先端から第３方向Ｚのカバー側に突出し、内カバー１４に接触している。
【００３１】
変形例１によれば、延出部１０１は、板部１０１Ｂと、板部１０１Ｂの先端からベース側に突出している突起部１０１Ｃとを有している。突起部１０１Ｃは、内カバー１４に接触している。このように突起部１０１Ｃが内カバー１４に接触しているため、磁気ディスク装置１は、内カバー１４及びベース１２等を介して吸湿部１００に帯電した静電気をグランドに逃がすことができる。そのため、磁気ディスク装置１は、吸湿部１００に帯電した静電気がヘッド１７に放電することを防止できる。したがって、磁気ディスク装置１は、信頼性を向上することができる。
【００３２】
（第２実施形態）  
第２実施形態の磁気ディスク装置１は、吸湿部１００の構成が前述した実施形態及び変形例の磁気ディスク装置１と異なる。  
図７は、第２実施形態に係る吸湿部１００の構成の一例を示す拡大斜視図である。  
吸湿部１００は、容器部ＢＤを有している。容器部ＢＤは、接着部材ＡＤにより内カバー１４の対向面１４ｂに接着されている。
【００３３】
図８は、第２実施形態に係る吸湿部１００の構成の一例を示す拡大斜視図である。  
容器部ＢＤは、接着部材ＡＤの貫通孔ＡＤＨを介して内カバー１４の対向面１４ｂに対向する凹部ＢＤＤ２を有している。言い換えると、凹部ＢＤＤ２は、第３方向Ｚにおいて、貫通孔ＡＤＨ及び対向面１４ｂに対向している。凹部ＢＤＤ２は、容器部ＢＤの主面ＢＤａ側に形成され、凹部ＢＤＤ１から間隔を置いて位置している。図８に示した例では、凹部ＢＤＤ２は、台座部１００Ｂの主面１００Ｂａをベース側に窪ませて形成されている。また、凹部ＢＤＤ２は、凹部ＢＤＤ１から第２方向Ｙの矢印の先端が向かう方向と反対方向に間隔を置いて位置している。
【００３４】
磁気ディスク装置１は、導電体ＢＬを有している。導電体ＢＬは、容器部ＢＤ及び内カバー１４に接触可能なように設けられている。導電体ＢＬは、凹部ＢＤＤ２及び内カバー１４との間に位置している。導電体ＢＬは、導電性の材料、例えば、金属材料で形成されている。導電体ＢＬは、例えば、球形状に形成されている。なお、導電体ＢＬは、球形状以外の形状で形成されていてもよい。
【００３５】
図９は、第２実施形態に係る接着部材ＡＤ及び吸湿部１００の一例を示す斜視図である。  
図９に示した例では、接着部材ＡＤの貫通孔ＡＤＨは、凹部ＢＤＤ１及びＢＤＤ２に重なっている。図５に示した例では、Ｘ−Ｙ平面上において、貫通孔ＡＤＨの大きさは、凹部ＢＤＤ１及び凹部ＢＤＤ２の大きさよりも大きい。凹部ＢＤＤ１の径は、凹部ＢＤＤ２の径よりも大きい。なお、凹部ＢＤＤ１の径は、凹部ＢＤＤ２の径よりも小さくてもよいし、凹部ＢＤＤ２の径と同じであってもよい。凹部ＢＤＤ２は、凹部ＢＤＤ１から第２方向Ｙの矢印の先端と反対方向に離間している。導電体ＢＬは、凹部ＢＤＤ２に収納されている。
【００３６】
図１０は、図８に示したＡ−Ａに沿って切断した吸湿部１００、接着部材ＡＤ、及び内カバー１４の構成例を模式的に示す断面図である。  
図１０に示した例では、接着部材ＡＤは、第３方向Ｚに、粘着層Ａ１、基材ＢＭ、及び粘着層Ａ２の順に積層されて形成されている。粘着層Ａ１及びＡ２は、粘着性の物質で形成されている。接着部材ＡＤは、容器部ＢＤ及び内カバー１４の間に位置し、粘着層Ａ１により容器部ＢＤの主面ＢＤａに接着し、粘着層Ａ２により内カバー１４の対向面１４ｂに接着している。図１０に示した例では、接着部材ＡＤは、台座部１００Ｂ及び内カバー１４の間に位置し、台座部１００Ｂの主面１００Ｂａに粘着層Ａ１で接着し、内カバー１４の対向面１４ｂに粘着層Ａ２で接着している。
【００３７】
内カバー１４は、貫通孔ＡＤＨを介して吸湿部１００の容器部ＢＤの凹部ＢＤＤ２に対向している凹部１４Ｄを有している。言い換えると、凹部１４Ｄは、第３方向Ｚにおいて、貫通孔ＡＤＨ及び凹部ＢＤＤ２に対向している。凹部１４Ｄは、内カバー１４の対向面１４ｂをカバー側に窪ませて形成されている。凹部１４Ｄ及び凹部ＢＤＤ２の間には、導電体ＢＬが位置している。言い換えると、導電体ＢＬは、凹部１４Ｄ及び凹部ＢＤＤ２で囲われた空間内に位置している。凹部１４Ｄの周囲の対向面１４ｂの一部と凹部ＢＤＤ２の周囲の主面１００Ｂａの一部とは、導電体ＢＬが脱落しないように密接して接着部材ＡＤにより接着されている。導電体ＢＬは、凹部１４Ｄの内壁１４Ｉ又は凹部ＢＤＤ２の内壁ＢＤＩと隙間を置いて離間している。図１０に示した例では、導電体ＢＬは、第３方向Ｚにおいて、凹部１４Ｄの内壁１４Ｉに接触し、凹部ＢＤＤ２の内壁ＢＤＩと隙間Ｇ１を置いて離間している。例えば、図１０に示した例において、磁気ディスク装置１が第３方向Ｚにおいて反転した場合には、導電体ＢＬは、第３方向Ｚにおいて、凹部ＢＤＤ２の内壁ＢＤＩに接触し、凹部１４Ｄの内壁１４Ｉと隙間Ｇ１を置いて離間し得る。また、磁気ディスク装置１の駆動による振動等により、導電体ＢＬは、凹部ＢＤＤ２の内壁ＢＤＩ及び内カバー１４の内壁１４Ｉに交互に接触し得る。導電体ＢＬは、内壁ＢＤＩに接触した場合に吸湿部１００の静電気を受け取り、内壁１４Ｉに接触した場合に吸湿部１００から受け取った静電気を内カバー１４に逃がす。
【００３８】
第２実施形態によれば、磁気ディスク装置１は、導電体ＢＬをさらに有している。導電体ＢＬは、内カバー１４の対向面１４ｂに形成された凹部１４Ｄと吸湿部１００の容器部ＢＤの主面ＢＤａに形成された凹部ＢＤＤ２との間に収納されている。導電体ＢＬは、凹部１４Ｄの内壁１４Ｉ又は凹部ＢＤＤ２の内壁ＢＤＩと隙間を置いて離間している。導電体ＢＬは、磁気ディスク装置１の駆動による振動等により、内カバー１４の対向面１４ｂ及び容器部ＢＤの主面ＢＤａに交互に接触し得る。導電体ＢＬは、凹部ＢＤＤ２の内壁ＢＤＩに接触した場合に吸湿部１００に帯電した静電気を受け取り、凹部１４Ｄの内壁１４Ｉに接触した場合に吸湿部１００から受け取った静電気を内カバー１４に逃がすことで、内カバー１４及びベース１２等を介して吸湿部１００に帯電した静電気をグランドに逃がすことができる。そのため、磁気ディスク装置１は、吸湿部１００に帯電した静電気がヘッド１７に放電することを防止できる。したがって、磁気ディスク装置１は、信頼性を向上することができる。
【００３９】
また、導電体ＢＬが凹部１４Ｄの内壁１４Ｉ又は凹部ＢＤＤ２の内壁ＢＤＩと隙間を置いて離間しているため、導電体ＢＬが内壁１４Ｉ及び内壁ＢＤＩに接触することでベース側に生じる反発力を抑制することができる。そのため、磁気ディスク装置１は、接着部材ＡＤの剥離を生じさせ得る力を抑制することができる。したがって、磁気ディスク装置１は、信頼性を向上することができる。
【００４０】
（変形例２）  
変形例２の磁気ディスク装置１は、吸湿部１００の構成が前述した第１実施形態、第２実施形態、及び変形例１と異なる。  
図１１は、変形例２に係る吸湿部１００、接着部材ＡＤ、及び内カバー１４の構成例を模式的に示す断面図である。図１１は、図８に示したＡ−Ａに沿って切断して吸湿部１００、接着部材ＡＤ、及び内カバー１４の構成例を示している。  
導電体ＢＬは、凹部１４Ｄの内壁１４Ｉ及び凹部ＢＤＤ２の内壁ＢＤＩに接触している。
【００４１】
第２実施形態によれば、磁気ディスク装置１は、導電体ＢＬを有している。導電体ＢＬは、凹部１４Ｄの内壁１４Ｉ及び凹部ＢＤＤ２の内壁ＢＤＩに接触している。磁気ディスク装置１は、導電体ＢＬ、内カバー１４、及びベース１２等を介して吸湿部１００に帯電した静電気をグランドに逃がすことができる。そのため、磁気ディスク装置１は、吸湿部１００に帯電した静電気がヘッド１７に放電することを防止できる。したがって、磁気ディスク装置１は、信頼性を向上することができる。
【００４２】
（変形例３）  
変形例３の磁気ディスク装置１は、吸湿部１００の構成が前述した第１実施形態、第２実施形態、変形例１、及び変形例２と異なる。  
図１２は、変形例２に係る吸湿部１００、接着部材ＡＤ、及び内カバー１４の構成例を模式的に示す断面図である。図１２は、図８に示したＡ−Ａに沿って切断して吸湿部１００、接着部材ＡＤ、及び内カバー１４の構成例を示している。図１２には、磁気ディスク装置１が第３方向Ｚにおいて反転した場合に、実線の円で示した導電体ＢＬが移動する位置を点線の円で示している。
【００４３】
凹部１４Ｄの内壁１４Ｉ及び凹部ＢＤＤ２の内壁ＢＤＩは、導電体ＢＬが内壁１４Ｉ及び内壁ＢＤＩに接触しながら斜めに移動可能に形成されている。図１２に示した例では、凹部ＢＤＤ２の内壁ＢＤＩは、内壁ＢＤＩ１、ＢＤＩ２、及びＢＤＩを有している。内壁ＢＤＩ１は、容器部ＢＤの主面ＢＤａ、例えば、第１方向Ｘに対して角度θｂ１で傾斜している。例えば、角度θｂ１は、０°より大きく、９０°以下である。内壁ＢＤＩ２は、内壁ＢＤＩ１に対して角度θｂ２で傾斜している。例えば、角度θｂ２は、１２０°より大きく、１８０°以下である。なお、角度θｂ２は、９０°より大きく、１８０°以下であってもよい。内壁ＢＤＩ３は、内壁ＢＤＩ２に対して角度θｂ３で傾斜している。例えば、角度θｂ３は、９０°より大きく、１２０°以下である。なお、角度θｂ３は、９０°より大きく、１８０°以下であってもよい。凹部１４Ｄの内壁１４Ｉは、内壁１４Ｉ１、１４Ｉ２、及び１４Ｉ３を有している。内壁１４Ｉ１は、内カバー１４の対向面１４ｂ、例えば、第１方向Ｘに対して角度θｃ１で傾斜している。例えば、角度θｃ１は、０°より大きく、９０°以下である。内壁１４Ｉ２は、内壁１４Ｉ１に対して角度θｃ２で傾斜している。例えば、θｃ２は、１２０°より大きく、１８０°以下である。なお、角度θｃ２は、９０°より大きく、１８０°以下であってもよい。内壁１４Ｉ３は、内壁１４Ｉ２に対して角度θｃ３で傾斜している。例えば、角度θｃ３は、９０°より大きく、１２０°以下である。なお、角度θｃ３は、９０°より大きく、１８０°以下であってもよい。内壁１４Ｉ１は、内壁ＢＤＩ１に対向している。例えば、内壁１４Ｉ１は、内壁ＢＤＩ１に平行に形成されている。なお、内壁１４Ｉ１及び内壁ＢＤＩ１は、平行に形成されていなくともよい。内壁１４Ｉ２は、内壁ＢＤＩ２に対向している。例えば、内壁１４Ｉ２は、内壁ＢＤＩ２に平行に形成されている。なお、内壁１４Ｉ２及び内壁ＢＤＩ２は、平行に形成されていなくともよい。内壁１４Ｉ３は、内壁ＢＤＩ３に対向している。例えば、内壁１４Ｉ３は、内壁ＢＤＩ３に平行に形成されている。なお、内壁１４Ｉ１及び内壁ＢＤＩ１は、平行に形成されていなくともよい。
【００４４】
導電体ＢＬは、凹部１４Ｄの内壁１４Ｉ及び凹部ＢＤＤ２の内壁ＢＤＩに接触している。図１２に示した例では、導電体ＢＬは、内壁１４Ｉの内壁１４Ｉ及び凹部ＢＤＤ２の内壁ＢＤＩの間で内壁１４Ｉ２及び内壁ＢＤＩ１に接触している。図１２に示した例おいて、磁気ディスク装置１が第３方向Ｚにおいて反転した場合、導電体ＢＬは、内壁１４Ｉ及び内壁ＢＤＩに接触しながら実線の円で示す位置から点線の円で示す位置に、内壁１４Ｉ１及び内壁ＢＤＩ２に沿って移動する。
【００４５】
変形例３によれば、凹部１４Ｄの内壁１４Ｉ及び凹部ＢＤＤ２の内壁ＢＤＩは、導電体ＢＬが内壁１４Ｉ及び内壁ＢＤＩに接触しながら斜めに移動可能に形成されている。磁気ディスク装置１は、導電体ＢＬ、内カバー１４、及びベース１２等を介して吸湿部１００に帯電した静電気をグランドに逃がすことができる。そのため、磁気ディスク装置１は、吸湿部１００に帯電した静電気がヘッド１７に放電することを防止できる。また、磁気ディスク装置１は、接着部材ＡＤの剥離を生じさせ得る力を抑制することができる。したがって、磁気ディスク装置１は、信頼性を向上することができる。
【００４６】
なお、前述した実施形態及び前述した変形例では、筐体１０内に空気よりも密度の低い低密度ガス（不活性ガス）、例えば、ヘリウムが封入されるとしたが、不活性ガスが封入されていない通常の磁気ディスク装置に対しても前述した実施形態及び変形例の構成を適用することができる。通常の磁気ディスク装置は、例えば、内カバー及び外カバーの２つのカバーではなく、１つのトップカバーでベースの開口を閉塞されている構造である。
【００４７】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１…磁気ディスク装置、１０…筐体、１２…ベース、１４…内カバー、１６…外カバー、１７…磁気ヘッド、１８…磁気ディスク、２０…スピンドルモータ、２１…基板ユニット（ＦＰＣユニット）、２２…アクチュエータアッセンブリ、２４…ボイスコイルモータ（ＶＣＭ）、２５…ランプロード機構、２８…軸受ユニット、３０…サスペンションアッセンブリ（サスペンション）、３２…アーム、３８…ヨーク、１００…吸湿部。
【図１】
2020144964.tif 000003
【図２】
2020144964.tif 000004
【図３】
2020144964.tif 000005
【図４】
2020144964.tif 000006
【図５】
2020144964.tif 000007
【図６】
2020144964.tif 000008
【図７】
2020144964.tif 000009
【図８】
2020144964.tif 000010
【図９】
2020144964.tif 000011
【図１０】
2020144964.tif 000012
【図１１】
2020144964.tif 000013
【図１２】
2020144964.tif 000014